(57)【要約】　　　（修正有）【課題】　運転者の注意を引きつけるに十分でかつ支柱に取り付け容易でコスト高にならず、信頼性の高い車両近接注意表示装置を提供する。【解決手段】　走行する車を感知するセンサー６と、該センサーが感知した信号を受けて作動する点滅灯８と、該信号を受けて点灯し標語１６又は標識の視覚表示がなされる表示部１２とを含んで構成され、該表示部が、支柱４と、該支柱を貫通させて該支柱に取り付けられた枠体１４と、該枠体の表面に取り付けられ前記標語又は標識が記された光透過性の板と、該枠体の内側で該支柱に取り付けて設けられた点灯具とを含んで成る車両近接注意表示装置である。【選択図】　図１
0003100047.tif 000002
【実用新案登録請求の範囲】
【請求項１】
走行する車を感知するセンサーと、該センサーが感知した信号を受けて作動する点滅灯と、該信号を受けて点灯し標語又は標識の視覚表示がなされる表示部とを含んで構成される車両近接注意表示装置。
【請求項２】
走行する車を感知するセンサーと、該センサーが感知した信号を受けて作動する点滅灯と、該信号を受けて点灯し標語又は標識の視覚表示がなされる表示部とを含んで構成され、前記信号を受けて前記点滅灯が前記表示部と時間差をつけて作動開始する車両近接注意表示装置。
【請求項３】
走行する車を感知するセンサーと、該センサーが感知した信号を受けて点灯し標語又は標識の視覚表示がなされる表示部とを含んで構成され、該表示部が、支柱と、該支柱を貫通させて該支柱に取り付けられた枠体と、該枠体の表面に取り付けられ前記標語が記された光透過性表示板と、該枠体の内側で該支柱に取り付けて設けられた点灯具とを含んで成る車両近接注意表示装置。
【請求項４】
走行する車を感知するセンサーと、該センサーが感知した信号を受けて作動する点滅灯と、該信号を受けて点灯し標語又は標識の視覚表示がなされる表示部とを含んで構成され、前記表示部が、支柱と、該支柱を貫通させて該支柱に取り付けられた枠体と、該枠体の表面に取り付けられ前記標語が記された光透過性表示板と、該枠体の内側に設けられた点灯具とを含んで成る車両近接注意表示装置。
【請求項５】
走行する車を感知するセンサーと、該センサーが感知した信号を受けて作動する点滅灯と、該信号を受けて点灯し標語又は標識の視覚表示がなされる表示部とを含んで構成され、前記信号を受けて前記点滅灯が前記表示部と時間差をつけて作動開始し、前記表示部が、支柱と、該支柱を貫通させて該支柱に取り付けられた枠体と、該枠体の表面に取り付けられ前記標語が記された光透過性表示板と、該枠体の内側で該支柱に取り付けて設けられた点灯具とを含んで成る車両近接注意表示装置。
【請求項６】
前記光透過性表示板が前記枠体に交換可能に取り付けられた請求項３乃至５のいずれかに記載の車両近接注意表示装置。
【考案の詳細な説明】
【技術分野】
【０００１】
　本考案は走行車の運転者に、対向車やその走行車に近接してくる車両の近接を知らせて注意を促すための車両近接注意表示装置に関する。
【背景技術】
【０００２】
　従来、見通しの悪い交叉点などに設置して、近接してくる車両を検知してその近接を表示する装置としては、車両を検知したセンサの信号により、光及び／又は音を発する注意警報装置が知られている（例えば、特許文献１参照。）。しかし、この注意警報装置に用いられる発光手段は単に発光板を支柱に取り付けただけのもので運転に集中する運転者の注意を引きつけるには不十分である。又、発光板は支柱に取り付けられ雨ざらしとなるので特別のシールが必要となり、これはコスト高と信頼性の不足の要因になる。
【特許文献１】特開平１１−１４７３５７号公報（第１頁、第１図）
【考案の開示】
【考案が解決しようとする課題】
【０００３】
　本考案は、これら問題点に鑑み運転者の注意を引きつけるに十分でかつ支柱に取り付け容易でコスト高にならず、信頼性の高い車両近接注意表示装置を提供しようとする。
【課題を解決するための手段】
【０００４】
　本考案の要旨とするところは、走行する車を感知するセンサーと、該センサーが感知した信号を受けて作動する点滅灯と、該信号を受けて点灯し標語又は標識の視覚表示がなされる表示部とを含んで構成される車両近接注意表示装置であることにある。
【０００５】
　更に、本考案の要旨とするところは、走行する車を感知するセンサーと、該センサーが感知した信号を受けて作動する、点灯により標語又は標識の視覚表示がなされる表示部とを含んで構成され、該表示部が、支柱と、該支柱を貫通させて該支柱に取り付けられた枠体と、該枠体の表面に取り付けられ前記標語が記された光透過性表示板と、該枠体の内側で該支柱に取り付けて設けられた点灯具とを含んで成る車両近接注意表示装置であることにある。
【０００６】
　前記車両近接注意表示装置においては、前記信号を受けて前記点滅灯が前記表示部と時間差をつけて作動開始し得る。
【０００７】
　前記車両近接注意表示装置においては、前記表示部が、支柱と、該支柱を貫通させて該支柱に取り付けられた枠体と、該枠体の表面に取り付けられ前記標語が記された光透過性表示板と、該枠体の内側に設けられた点灯具とを含んで成り得る。
【０００８】
　前記車両近接注意表示装置においては、前記光透過性表示板が前記枠体に交換可能に取り付けられ得る。
【０００９】
　前記車両近接注意表示装置においては、前記点灯具が該枠体の内側で前記支柱に取り付けて設けられ得る。
【考案の効果】
【００１０】
　本考案により、運転者の注意を引きつけるに十分でかつ支柱に取り付け容易でコスト高にならず、信頼性の高い車両近接注意表示装置が提供される。
【００１１】
　更に、本考案により、運転者の注意を引きつけるに十分でかつ支柱に取り付け容易でコスト高にならず、取り付け位置周辺の照明を兼ねて注意を喚起する車両近接注意表示装置が提供される。
【考案を実施するための最良の形態】
【００１２】
　本考案に係る態様を図面に基づいて詳しく説明する。なお、本明細書においては、各図にわたって記される同じ符号は同一又は同様の部材やものを示す。図１は本考案の車両近接注意表示装置２の構成を示す正面模式図であり、車両近接注意表示装置２は、地面１に、立設用基礎１０を用いて立設された支柱４と、走行する車を感知するセンサー６と、センサー６が感知した信号を受けて作動する点滅灯８と、同じくセンサー６が感知した信号を受けて作動する、点灯により標語１６の視覚表示がなされる表示部１２とを含んで構成されている。又、符号１４は、点滅灯８及び表示部１２へ供給する電源の制御盤を内蔵するボックスである。走行する車を感知するセンサー６が感知した信号を受けて点滅灯８と表示部１２との両者を作動させることにより、運転者に車両近接注意を強く喚起することが出来る。
【００１３】
　点滅灯８あるいは表示部１２のいずれか一つを設けて作動させた場合は、道路沿いの点滅灯８あるいは表示部１２と類似の広告用の看板や、非常口の表示等を見慣れている運転者にとっては瞬時に点滅灯８あるいは表示部１２が車両近接注意を喚起していると判断できず見逃してしまうことが少なからずある。本考案のように点滅灯８と表示部１２との両者を作動させることにより、運転者に車両近接注意を咄嗟に意識させて強く喚起することが出来る。
【００１４】
　点滅灯８は、好ましくは周期約０．１〜１秒、更に好ましくは０．２〜０.７秒で点滅を繰り返す照明灯であればよい。点滅は光源に電力を断続的に供給して行なわれてもよい。点滅は光源からの光路を回転する遮断体等により間歇的に遮断することにより行なわれてもよい。例えば、回転灯が点滅灯８として好適に用いられる。
【００１５】
　図２は図１に示す車両近接注意表示装置２の表示部１２の部分の機構を示す一部破断模式図であり、図２（ａ）、図２（ｂ）、図２（ｃ）はそれぞれ正面図、側面図、上面図である。図２において、表示部１２は、支柱４を貫通させて支柱４に取り付けられた枠体１４と、枠体１４の表面に取り付けられ標語１６（図１）が記された光透過性表示板１８と、枠体１４の内側に設けられた点灯具２０とを含んで成る。
【００１６】
　枠体１４の、光透過性表示板１８が取り付けられた面以外の面は、下側を除いて囲い板２２、２４により囲われている。点灯具２０は通常の屋外用蛍光灯であり、取り付けバンド２６により支柱４に直接取り付けられている。本考案においては、点灯具２０を支柱４に直接取り付けることが出来る構成となっているため、点灯具２０の確実な固定が簡単な操作でなされる。
【００１７】
　枠体１４の形状は直方体状であり、直方体の各稜に相当する部分に位置する縦梁３０、横梁３２により構成される。光透過性表示板１８は螺子３６により縦梁３０、横梁３２に交換可能に螺子止めされている。標語１６の異なる光透過性表示板１８を各種備えておくことにより、適宜交換して用いることが出来る。点灯された点灯具２０の光が光透過性表示板１８を透過して標語１６の表示がなされる。標語１６としては、ほかに例えば、「安全運転」「ブレーキかけよ」「対向車あり」など各種の車両近接注意を促すことばが挙げられる。又、光透過性表示板１８には注意を促すマークが記されてもよい。光透過性表示板１８は枠体１４の複数の側面にそれぞれ取り付けられてもよい。
【００１８】
　又、枠体１４の内側には固定具４２が設けられている。固定具４２は枠体１４を支柱４に固定するためのものであり、梁３０、３０間に渡された横足場梁４０の対向する一対にそれぞれ固定された腕部４４を含んで成り、腕部４４は、横足場梁４０から内側に突出するアーム４６と、アーム４６の先端にアーム４６の長手方向と直交して固定された挟み板４８から成る。挟み板４８の一対が対面して支柱４を挟み、その対面する挟み板４８、４８同士がボルト５０、５２を介して連結される。ボルト５０、５２が支柱４を間にして配置されて、それぞれ対面する挟み板４８、４８同士を近付ける方向に締結されることにより、枠体１４が支柱４に固定される。このように簡単な操作により枠体１４を支柱４に固定出来る。
【００１９】
　更に、表示部１２の光源（点灯具２０）が、枠体１４に取り付けた光透過性表示板１８及び囲い板２２、２４により囲われて、風雨に曝されることがないので光源やその電気回路の信頼性が高まり、かつその光源として通常の蛍光灯の使用が可能であり、装置の低コスト化が実現される。囲い板２２、２４を着脱自在とすることも螺子３７を利用して容易であり、光源やその電気回路の保守、点検の操作も容易である。
【００２０】
　又、表示部１２の光源が囲い板２２、２４により囲われかつ枠体１４の中に枠体１４とは独立して支柱４に固定できるので、表示部１２の光源として市販の蛍光灯をはじめとする一般の照明用の高い輝度のランプの使用が可能である。又、光源として蛍光灯等を複数本枠体１４の中に配置することにより光源の輝度を容易に高めることが出来る。例えば、３乃至４本の蛍光灯を縦にして支柱４の周囲に支柱４を中心に配置することが出来る。
【００２１】
　蛍光灯としては、クイックスタート方式のランプ（例えば商品名：ラピッドマスター）を用いることがスイッチをオンにしたときの発光の立ち上がり時間が短くなり好ましい。
【００２２】
　本考案の車両近接注意表示装置２においては、枠体１４の下面部に開口６０を有し、表示部１２の光源（点灯具２０）からの光が開口６０を通過して支柱４の根本近傍を照らすので運転者のみならず車両近接注意表示装置２の付近を通行する歩行者等の通行者にも車両近接注意を促すとともに足元や周囲を照らして通行の安全に寄与出来る。囲い板２２、２４の内側面が光をよく反射させる面であることが開口６０を通過して支柱４の根本近傍を照らす光の光量が多くなり、又、光透過性表示板１８を透過する光の光量が多くなり好ましい。光をよく反射させる面としては、鏡面、白色系塗料の塗布面、金属の乱反射面などが挙げられる。
【００２３】
　囲い板２２、２４は光を透過する素材から成るものであってもよい。囲い板２２、２４が光を透過させることにより、点灯具２０の光で車両近接注意表示装置２の近傍を照明することができ、これにより、同様に運転者のみならず車両近接注意表示装置２の付近を通行する歩行者等の通行者の安全に寄与出来る。囲い板２２、２４の少なくとも一部はなくともよい。
【００２４】
　本考案の車両近接注意表示装置においては、光源の輝度を容易に高めることが出来るので、これら安全寄与の効果を、光源の輝度を高めることにより更に大きくすることが容易に出来る。
【００２５】
　又、図３のフロー図に示すように、点滅灯８と、表示部１２はセンサー６の信号により作動するが、表示部１２がタイマーを介して作動させて、点滅灯８の点灯作動の開始の時刻と表示部１２の点灯作動の開始の時刻との間に所定の時間をおくようにすることが車両近接注意表示の効果を更に大きくする。
【００２６】
　即ち、先ず点滅灯８が車の近接をとらえたセンサー６の信号により作動して運転者の注意を引き、次いでその注意を引いたところで表示部１２が点灯すると、表示部１２の表示が強く運転者に認識されて車両近接注意表示の効果が大きくなる。あるいは、先ず表示部１２が車の近接をとらえたセンサー６の信号により作動して運転者の注意を引き、次いでその注意を引いたところで点滅灯８が作動する態様であっても、表示部１２の表示が強く運転者に認識されて車両近接注意表示の効果が大きくなる。
【００２７】
　点滅灯８の点灯作動の開始の時刻と表示部１２の点灯作動の開始の時刻との時間間隔は０．２〜２秒であることが好ましい。この時間間隔が０．２秒未満であると車両近接注意表示の効果が、点滅灯８と表示部１２の点灯が同時になされた場合に比べ格段に大きいといえない。又、この時間間隔が２秒を超えると車の近接に間に合わない場合がある。
【００２８】
　センサー６としては、車が発する赤外線を感知する焦電センサー、車に照射したレーザーの反射光を感知する光センサー、車に照射した超音波の反射光を感知する超音波センサー等公知の近接感知用のセンサーを用いることが出来る。点滅灯８は市販の点滅灯を好適に用いることが出来る。
【００２９】
　図４に本考案の車両近接注意表示装置に用いられる表示部の他の態様を示す。図４においては、表示部１２ａが長方形の枠体１４ａと、枠体１４ａの表がわ側面７２に配置された光透過性表示板１８と、枠体１４ａの内側に設けられた不図示の点灯具とを含んで成る。枠体１４ａの、光透過性表示板１８が取り付けられた面以外の面は、下側を除いて囲い板２２ａ、２４ａ、２５ａにより囲われている。枠体１４ａの裏がわ側面７４には、不図示の支柱を係止するための係止用横梁７０が裏がわ側面７４をよこぎって枠体１４ａに長手方向を水平にして固定されている。係止用横梁７０はリップ付き溝形形状を有する。
【００３０】
　光透過性表示板１８は、枠体１４ａの表がわ側面７２の側縁部に設けられた一対の係止部７６により光透過性表示板１８の側縁部を係止することにより枠体１４ａの表がわ側面７２に着脱可能、交換可能に取り付けられている。
【００３１】
　図５の上面図に、表示部１２ａが支柱４に係止されて取り付けられた状態及び枠体１４ａの内側に配された点灯具２０の位置を示す。図５において、Ｕ字形の抱え部材７８が支柱４の周面を抱え、抱え部材７８の両端部それぞれに設けられた被係止部８８が係止用横梁７０の溝に挿入されて、抱え部材７８の中央の曲り部８２に螺子８４を螺入させて螺子８４の先端を支柱４に当接させ抱え部材７８を螺子８４の螺入方向と逆方向に押して被係止部８８をリップ８０と係合させ、これにより表示部１２ａが支柱４に係止される。
【００３２】
　図６に示す本考案の車両近接注意表示装置に用いられる表示部１２ｂのように、表示部は三角柱形状であってもよい。
【００３３】
　又、本考案の車両近接注意表示装置は、図７に示す車両近接注意表示装置２ｂのように、表示部１２が点滅灯８の上方に配置されていてもよい。更に、又、本考案の車両近接注意表示装置においては、複数個の点滅灯８が支柱４に配置されていてもよい。例えば、図８に示すように点滅灯８が支柱４を中心として放射状に４個配置されていてもよい。
【００３４】
　又、本考案の車両近接注意表示装置においては、複数個の点灯具２０が支柱４に配置されていてもよいが、例えば、図９の表示部１２ｃの断面図に示すように３個の点灯具２０が支柱４の周方向に等間隔に配置されていてもよい。又、枠体１４の内側に反射面を点灯具２０がわにして反射板９０を設けることにより、光透過性表示板１８を透過して外部に放射される光量を増大させることが出来る。反射板９０は例えば図９に示すように、反射面を縦方向にして光透過性表示板１８と２個の反射板９０とで２等辺三角柱形状が形成されるように配置することが好ましい。これにより、点灯具２０からの光を効率よくかつ均一に光透過性表示板１８を透過して外部に放射することが出来る。
【００３５】
　以上本考案の車両近接注意表示装置の態様を説明したが、本考案はその趣旨を逸脱しない範囲で、当業者の知識に基づき種々の改良、修正、変形を加えた態様で実施し得るものであり、これらの態様はいずれも本考案の範囲に属するものである。
【００３６】
　例えば、本考案の車両近接注意表示装置における表示部は、図２における開口６０のような下面部の開口が囲い用の板で封止されていている態様であってもよい。
【産業上の利用可能性】
【００３７】
　本考案の車両近接注意表示装置は、交叉点、カーブの死点、建物の出入り口等に設置して車両の近接注意を促すことが出来る。
【図面の簡単な説明】
【００３８】
【図１】本考案の車両近接注意表示装置の態様の一例を示す正面模式図である。
【図２】図１に示す車両近接注意表示装置の構成を示す一部破断要部模式図であり、図２（ａ）、図２（ｂ）、図２（ｃ）はそれぞれ正面図、側面図、上面図である。
【図３】本考案の車両近接注意表示装置に用いる点滅灯と表示部の電気回路のフロー図である。
【図４】本考案の車両近接注意表示装置に用いられる表示部の他の態様の一例を示す斜視図である。
【図５】図４に示す表示部が支柱に取り付けられる態様の一例を示す上面模式図である。
【図６】本考案の車両近接注意表示装置に用いられる表示部の更に他の態様の一例を示す斜視模式図である。
【図７】本考案の車両近接注意表示装置の他の態様の一例を示す正面模式図である。
【図８】本考案の車両近接注意表示装置に用いられる点滅灯が支柱に取り付けられる状態の他の態様の一例を示す模式図であり、図８（ａ）は正面図、図８（ｂ）は上面図である。
【図９】本考案の車両近接注意表示装置に用いられる表示部の又更に他の態様の一例を示す断面模式図である。
【符号の説明】
【００３９】
２、２ｂ：車両近接注意表示装置
４：支柱
６：センサー
８：点滅灯
１６：標語
１２、１２ａ、１２ｂ、１２ｃ：表示部
２０：点灯具
１４、１４ａ：枠体
１８：光透過性表示板
【図１】
0003100047.tif 000003
【図２】
0003100047.tif 000004
【図３】
0003100047.tif 000005
【図４】
0003100047.tif 000006
【図５】
0003100047.tif 000007
【図６】
0003100047.tif 000008
【図７】
0003100047.tif 000009
【図８】
0003100047.tif 000010
【図９】
0003100047.tif 000011